(57)【要約】【課題】発電機の調整余力が少ない場合又は偏った運転体制の場合に、地域要求電力の配分残の発生を抑制する。【解決手段】実施形態の需給制御システムの地域要求電力配分手段は、地域要求電力の配分残を前記複数種の発電機に配分する順番を定め、この順番に従って配分残が無くなるまで個々の発電機に対する配分残の配分を順次実施し、複数種の発電機の全てに対して配分残の配分を実施しても配分残が無くならない場合には、再度、順番に従って配分残が無くなるまで個々の発電機に対する配分残の配分を順次実施する。【選択図】図１
2015192478.tif 000002
【特許請求の範囲】
【請求項１】
電力系統の周波数変化量を検出する周波数変化量検出手段と、
前記電力系統の連系線潮流変化量を検出する連系線潮流変化量検出手段と、
前記周波数変化量検出手段により検出した周波数変化量及び前記連系線潮流変化量検出手段により検出した連系線潮流変化量に基づいて地域要求電力を算出する地域要求電力算出手段と、
前記地域要求電力算出手段により算出した地域要求電力を周波数分解する周波数分解手段と、
前記周波数分解手段により周波数分解した地域要求電力を複数種の発電機毎に配分する地域要求電力配分手段と、
前記地域要求電力配分手段により配分された地域要求電力と経済負荷配分制御によって算出された経済負荷配分スケジュール値とから目標指令値を算出する目標指令値算出手段と、
前記目標指令値算出手段により算出した目標指令値を発電機に伝送する指令値伝送手段と
を備えた需給制御システムであって、
前記地域要求電力配分手段は、
地域要求電力の配分残を前記複数種の発電機に配分する順番を定め、この順番に従って配分残が無くなるまで個々の発電機に対する配分残の配分を順次実施し、前記複数種の発電機の全てに対して配分残の配分を実施しても配分残が無くならない場合には、再度、前記順番に従って配分残が無くなるまで個々の発電機に対する配分残の配分を順次実施する
ことを特徴とする需給制御システム。
【請求項２】
請求項１に記載の需給制御システムにおいて、
前記地域要求電力配分手段は、
前記周波数分解した地域要求電力から、周期が異なる複数種の周期成分を時間幅に応じて抽出し、抽出した複数種の周期成分のそれぞれを、出力変化速度が異なる複数種の発電機のいずれかに分担させ、
地域要求電力の配分残を前記複数種の発電機に配分する順番を定め、この順番に従って配分残が無くなるまで個々の発電機に対する配分対象の成分の配分を順次実施し、前記複数種の発電機の全てに対して配分残の配分を実施しても配分残が無くならない場合には、再度、前記順番に従って配分残が無くなるまで個々の発電機に対する配分対象の成分の配分を順次実施する
ことを特徴とする需給制御システム。
【請求項３】
請求項１に記載の需給制御システムにおいて、
前記地域要求電力配分手段は、
前記周波数分解した地域要求電力の短周期成分、中周期成分及び長周期成分を時間幅に応じて抽出し、前記短周期成分を前記発電機のうちの高速機に配分し、前記中周期成分を前記発電機のうちの低速機に配分し、前記長周期成分を前記発電機のうちの経済負荷配分制御対象機に配分し、
前記高速機、低速機、経済負荷配分制御対象機のうちの第１の種別の発電機に配分対象の成分を配分しきれなかった場合には当該配分しきれなかった成分を前記高速機、低速機、経済負荷配分制御対象機のうちの第２の種別の発電機に配分し、前記第２の種別の発電機に配分対象の成分を配分しきれなかった場合には当該配分しきれなかった成分を前記高速機、低速機、経済負荷配分制御対象機のうち第３の種別の発電機に配分し、前記第３の種別の発電機に配分対象の成分を配分しきれなかった場合には当該配分しきれなかった成分を前記第１の種別の発電機に配分し、前記配分しきれなかった成分が無くなるまで前記配分を繰り返す
ことを特徴とする需給制御システム。
【請求項４】
請求項３に記載の需給制御システムにおいて、
前記地域要求電力配分手段は、
前記発電機のうちの高速機に前記短周期成分を配分しきれなかった場合には前記高速機が分担する周波数帯域の時間幅を小さくする一方で前記低速機が分担する周波数帯域の時間幅を大きくし、前記低速機に前記中周期成分を配分しきれなかった場合には当該低速機が分担する周波数帯域の時間幅を小さくする一方で前記高速機が分担する周波数帯域の時間幅を大きくし、前記経済負荷配分制御対象機に前記長周期成分を配分しきれなかった場合には当該経済負荷配分制御対象機が分担する周波数帯域の時間幅を小さくする一方で前記低速機が分担する周波数帯域の時間幅を大きくする時間幅調整手段を有する
ことを特徴とする需給制御システム。
【請求項５】
請求項３に記載の需給制御システムにおいて、
前記地域要求電力配分手段は、
前記周波数分解した地域要求電力の短周期成分、中周期成分及び長周期成分を前記時間幅に応じて抽出し、前記短周期成分を前記高速機に配分し、前記中周期成分を前記低速機に配分し、前記長周期成分を前記経済負荷配分制御対象機に配分した上で、前記短周期成分を配分しきれなかった場合には当該配分しきれなかった短周期成分を前記低速機に配分し、前記中周期成分を配分しきれなかった場合には当該配分しきれなかった中周期成分を前記経済負荷配分制御対象機に配分し、前記長周期成分を配分しきれなかった場合には当該配分しきれなかった長周期成分を前記高速機に配分する高速機優先配分手段を有する
ことを特徴とする需給制御システム。
【請求項６】
請求項３に記載の需給制御システムにおいて、
前記地域要求電力配分手段は、
前記周波数分解した地域要求電力の短周期成分、中周期成分及び長周期成分を前記時間幅に応じて抽出し、前記短周期成分を前記高速機に配分し、前記中周期成分を前記低速機に配分し、前記長周期成分を前記経済負荷配分制御対象機に配分した上で、前記長周期成分を配分しきれなかった場合には当該配分しきれなかった長周期成分を前記低速機に配分し、前記中周期成分を配分しきれなかった場合には当該配分しきれなかった中周期成分を前記高速機に配分し、前記短周期成分を配分しきれなかった場合には当該配分しきれなかった短周期成分を前記経済負荷配分制御対象機に配分する経済負荷配分制御対象機優先配分手段を有する
ことを特徴とする需給制御システム。
【請求項７】
請求項５に記載の需給制御システムにおいて、
前記地域要求電力配分手段は、
前記周波数分解した地域要求電力の短周期成分、中周期成分及び長周期成分を前記時間幅に応じて抽出し、前記短周期成分を前記高速機に配分し、前記中周期成分を前記低速機に配分し、前記長周期成分を前記経済負荷配分制御対象機に配分した上で、前記長周期成分を配分しきれなかった場合には当該配分しきれなかった長周期成分を前記低速機に配分し、前記中周期成分を配分しきれなかった場合には当該配分しきれなかった中周期成分を前記高速機に配分し、前記短周期成分を配分しきれなかった場合には当該配分しきれなかった短周期成分を前記経済負荷配分制御対象機に配分する経済負荷配分制御対象機優先配分手段、
予め高速機優先モード又は経済負荷配分制御対象機優先モードのいずれかを選択するモード選択手段、
前記高速機優先モードの選択により前記高速機優先配分手段を動作させる手段、および
前記経済負荷配分制御対象機優先モードの選択により前記経済負荷配分制御対象機優先配分手段を動作させる手段を有する
ことを特徴とする需給制御システム。
【請求項８】
請求項４に記載の需給制御システムにおいて、
前記地域要求電力配分手段は、
予め自動調整モード又は手動調整モードのいずれかを選択するモード選択手段、
前記自動調整モードの選択により前記時間幅調整手段を動作させる手段、および
前記手動調整モードの選択により動作し、操作者の操作に応じて、前記高速機が分担する周波数帯域の時間幅と、前記低速機が分担する周波数帯域の時間幅と、前記経済負荷配分制御対象機が分担する周波数帯域の時間幅とを調整する手動調整モード実行手段
を有することを特徴とする需給制御システム。
【請求項９】
請求項１乃至請求項８のいずれか１項に記載の需給制御システムの一部分として動作するコンピュータに用いられるプログラムであって、
前記コンピュータを、
前記地域要求電力算出手段、前記周波数分解手段、前記地域要求電力配分手段、前記目標指令値算出手段、および前記指令値伝送手段として機能させるためのプログラム。
【請求項１０】
請求項１乃至請求項８のいずれか１項に記載の需給制御システムの一部分として動作するコンピュータに用いられ、前記コンピュータを、前記地域要求電力算出手段、前記周波数分解手段、前記地域要求電力配分手段、前記目標指令値算出手段、および前記指令値伝送手段として機能させるためのプログラムを記録したコンピュータ読み取り可能な記録媒体。
【請求項１１】
電力系統の周波数変化量を検出する周波数変化量検出手段、前記電力系統の連系線潮流変化量を検出する連系線潮流変化量検出手段、前記周波数変化量検出手段により検出した周波数変化量及び前記連系線潮流変化量検出手段により検出した連系線潮流変化量に基づいて地域要求電力を算出する地域要求電力算出手段、前記地域要求電力算出手段により算出した地域要求電力を周波数分解する周波数分解手段、前記周波数分解手段により周波数分解した地域要求電力を複数種の発電機毎に配分する地域要求電力配分手段、前記地域要求電力配分手段により配分された地域要求電力と経済負荷配分制御によって算出された経済負荷配分スケジュール値とから目標指令値を算出する目標指令値算出手段、および前記目標指令値算出手段により算出した目標指令値を発電機に伝送する指令値伝送手段を備えたシステムに適用される需給制御方法であって、
地域要求電力の配分残を前記複数種の発電機に配分する順番を定め、この順番に従って配分残が無くなるまで個々の発電機に対する配分残の配分を順次実施し、前記複数種の発電機の全てに対して配分残の配分を実施しても配分残が無くならない場合には、再度、前記順番に従って配分残が無くなるまで個々の発電機に対する配分残の配分を順次実施する
ことを特徴とする需給制御方法。
【発明の詳細な説明】
【技術分野】
【０００１】
本発明の実施形態は、需給制御システム、プログラム、記録媒体及び方法に関する。
【背景技術】
【０００２】
電力系統の需要（負荷）は、季節的・時間的・瞬間的に時々刻々絶えず変動している。電力系統の負荷変動は、変化幅の小さい種々の振動と周期を持った脈動成分や、不規則な変動成分が重畳したものと考えられる。負荷変動の成分は、数分周期までの微小変動分のサイクリック分と、数分から１０数分程度までの短周期変動分のフリンジ分と、１０数分以上の長周期変動分のサステンド分との３成分に主に分けられる。
【０００３】
サイクリック分のような極めて短周期の成分は系統の負荷特性より、また、それ以上の数分程度の周期変動の成分はガバナフリー運転する発電所の調速機の特性を適正にすれば、自動的に調整される。それ以上の長い周期成分は、電力会社の中央給電指令所において、それぞれの周期成分を対象とした制御分担が行われている。
【０００４】
フリンジ分のような変動周期が１０数分までの負荷変動は、サイクリック分に比べ変動量が大きいため、ガバナフリー運転だけでは調整しきれない。このため、負荷周波数制御（ＬＦＣ：Load Frequency Control）により、周波数偏差、電力変動量を検出して発電機の出力を調整する。
【０００５】
変動周期がそれ以上の長い負荷変動のサステンド分は、負荷変動がかなり大きく、１日の負荷曲線によって支配される変化の一部と考えることができる。このように大きな負荷変動をもつサステンド分を調整する場合、負荷周波数制御だけでは発電所の出力変化能力が不足したり、発電所間の経済的な負荷配分が問題となってきたりする。このため、サステンド分のような長周期の負荷変動に対しては、発電所の経済運用が主体となり、経済負荷配分制御（ＥＬＤ：Economic Load Dispatch）による給電調整を行う。
【０００６】
これらの負荷周波数制御システム、ならびに経済負荷配分制御システムは、電力会社における中央給電指令所の最重要機能である。各システムの最大の目的は、負荷周波数制御（ＬＦＣ）においては連系線潮流、系統周波数を一定に維持することであり、経済負荷配分制御（ＥＬＤ）においては最経済となるような運用計画を行うことである。以下、ＬＦＣとＥＬＤとを合わせて需給制御と呼ぶ。
【０００７】
負荷周波数制御（ＬＦＣ）は、中央給電指令所にて系統の周波数や他系統との連系線潮流の変化に応じて各発電機（発電ユニット）の出力調整の指令を行う。この出力調整の指令は全ての発電ユニットのうち、速い出力変動を行っても問題とならない石油焚き火力発電ユニットや水力ユニットには出される。また、出力調整の指令は、原子力ユニットや石炭焚き火力ユニット、更には運用上の理由で出力変動を避けたい発電ユニットには一般的に出されない。
【０００８】
負荷周波数制御（ＬＦＣ）では、このように中央給電指令所から指令が出されるため、実際に出力が変化するまでには、通常、数十秒程度の遅れがある。  
負荷周波数制御（ＬＦＣ）は、主に、定周波数制御（ＦＦＣ：Flat Frequency Control）、定連系電力制御（ＦＴＣ：Flat Tie line Control）及び周波数バイアス連系線電力制御（ＴＢＣ：Tie line Bias Control）の３方式に分けることができる。
【０００９】
定周波数制御（ＦＦＣ）は、周波数変化量（ΔＦ）を検出して、これを少なくするように発電機の出力を調整し、系統周波数のみを規定値に保とうとする方式である。  
定連系電力制御（ＦＴＣ）は、連系線潮流変化量（ΔＰＴ）を検出して、これを少なくするように発電機の出力を調整し、連系線潮流のみを規定値に保とうとする方式である。
【００１０】
周波数バイアス連系線電力制御（ＴＢＣ）は、周波数変化量（ΔＦ）と連系線潮流変化量（ΔＰＴ）とを検出し、これらから地域要求電力（ＡＲ）を算出し、その量に応じて発電機の出力を調整する方式である。
【００１１】
以下、日本の殆どの電力会社にて行われている周波数バイアス連系線電力制御（ＴＢＣ）の一例を説明する。  
周波数バイアス連系線電力制御（ＴＢＣ）は、各電力会社の中央給電指令所から、各発電機に対して出力調整のために発電機指令を行う方式であり、以下の手順［１］〜［６］にて行われている。
【００１２】
［１］周波数変化量（ΔＦ）と連系線潮流変化量（ΔＰＴ）とに基づいて、地域要求電力（ＡＲ）を（１）式に示すように算出する。  
ＡＲ＝−Ｋ・ΔＦ＋ΔＰＴ          ・・・・・(1)
ここで、Ｋ：系統定数、  ΔＰＴ：自系統に流入する潮流がプラス方向。
【００１３】
なお、地域要求電力（ＡＲ）が正の値のとき、系統全体として発電機の出力を上げる必要がある。また、地域要求電力（ＡＲ）が負の値のとき、系統全体として発電機の出力を下げる必要がある。
【００１４】
［２］地域要求電力（ＡＲ）をフィルタリングする際には、過去の地域要求電力（ＡＲ）を用いて指数平滑等によるフィルタリングを行い、地域要求電力（ＡＲ）を低速機（例、出力変化速度の遅い火力機）と高速機（例、出力変化速度の速い水力機）にて分担する。なお、フィルタリングする方法に代えて、地域要求電力（ＡＲ）を周波数分解し、短い周期成分を低速機に分担させ、長い周期成分を高速機に分担させる方法を用いてもよい。
【００１５】
［３］フィルタリング、または周波数分解した地域要求電力（ＡＲ）を各発電機へ配分する際には、低速機、高速機別に負荷周波数制御（ＬＦＣ）が行われている全ての発電機に対して、その発電機の出力変化速度比あるいは、出力余裕比等にて配分する。
【００１６】
［４］各発電機の目標指令値は、配分された地域要求電力（ＡＲ）と、経済負荷配分制御（ＥＬＤ）にて時間毎に算出されたＥＬＤスケジュール値とを足し合わせる等の演算により算出される。また、目標指令値には、ある基準値以上を逸脱しないように上下限値が設けられている場合もある。
【００１７】
［５］各発電機は、中央給電指令所から受けた目標指令値に応じて出力を調整する。その結果、系統周波数、並びに連系線潮流が変化し、周波数変化量（ΔＦ）と連系線潮流変化量（ΔＰＴ）が生じる。
【００１８】
［６］手順［１］に戻る。
【先行技術文献】
【特許文献】
【００１９】
【特許文献１】特許第３９３０２１８号公報
【特許文献２】特許第４８５６４６８号公報
【非特許文献】
【００２０】
【非特許文献１】小向敏彦、色川彰一、加藤政一著、「電力システム工学」、丸善出版、１９９９年９月（ISBN4-621-04636-5）、P104
【非特許文献２】電気学会著「電気工学ハンドブック」、電気学会、２００１年２月（ISBN4-88686-012-5）、P970〜P975
【非特許文献３】電気学会技術報告第869号  「電力系統における常時及び緊急時の負荷周波数制御」  電気学会  電力・エネルギー部門  電力系統技術委員会（P133〜P141）
【発明の概要】
【発明が解決しようとする課題】
【００２１】
しかしながら、以上のような負荷周波数制御（ＬＦＣ）や経済負荷配分制御（ＥＬＤ）は、通常は何の問題もないが、場合によっては地域要求電力（ＡＲ）の配分残が生じる可能性があることから、この配分残の発生を抑制し得るように改良の余地がある。
【００２２】
例えば、上記手順［３］において、フィルタリング、または周波数分解した地域要求電力（ＡＲ）を各発電機に配分するが、ＬＦＣやＥＬＤの対象となる発電機台数が少ない場合や、それらの発電機の余力（現在出力と最大出力の差、または現在出力と最小出力の差）が少ない場合には、地域要求電力（ＡＲ）を配分しきれずに配分残が生じる可能性がある。なお、配分残が生じた場合、配分残の量に応じて制御性能を低下させてしまう。
【００２３】
また、発電機の特性に応じて周波数分解した地域要求電力（ＡＲ）に対し、ＬＦＣの対象の発電機が多数台の高速機と少数台の低速機とからなる運転体制のように、偏った運転体制の場合には、低速機側は調整台数と調整余力が小さいために、地域要求電力（ＡＲ）を配分しきれず、配分残が生じる可能性がある。なお、少数台の高速機と多数台の低速機とからなる運転体制の場合も同様に、高速機側は調整台数と調整余力が小さいために、地域要求電力（ＡＲ）の配分残が生じる可能性がある。また、周波数分解した地域要求電力（ＡＲ）の最も長周期な変動に対してはＥＬＤ対象発電機にて分担することとなるが、同様に、ＥＬＤ対象発電機の編列台数が少ない場合や、それらの発電機の余力（現在出力と最大出力の差、または現在出力と最少出力の差）が少ない場合は、地域要求電力（ＡＲ）を十分に配分しきれずに配分残が生じる可能性がある。これらの配分残は、前述した通り、配分残の量に応じて制御性能を低下させてしまう。
【００２４】
まとめると、負荷周波数制御（ＬＦＣ）や経済負荷配分制御（ＥＬＤ）においては、発電機の調整余力が少ない場合又は偏った運転体制の場合には、地域要求電力（ＡＲ）の配分残を生じさせる可能性があることから、配分残の発生を抑制し得るように改良の余地がある。
【００２５】
本発明が解決しようとする課題は、発電機の調整余力が少ない場合又は偏った運転体制の場合に、地域要求電力の配分残の発生を抑制し得る需給制御システム、プログラム、記録媒体及び方法を提供することである。
【課題を解決するための手段】
【００２６】
実施形態の需給制御システムは、周波数変化量検出手段、連系線潮流変化量検出手段、地域要求電力算出手段、周波数分解手段、地域要求電力配分手段、目標指令値算出手段及び指令値伝送手段を備えている。
【００２７】
前記周波数変化量検出手段は、電力系統の周波数変化量を検出する。  
前記連系線潮流変化量検出手段は、前記電力系統の連系線潮流変化量を検出する。  
前記地域要求電力算出手段は、前記周波数変化量及び前記連系線潮流変化量に基づいて地域要求電力を算出する。  
前記周波数分解手段は、前記算出した地域要求電力を周波数分解する。  
前記地域要求電力配分手段は、前記周波数分解した地域要求電力を複数種の発電機毎に配分する。  
前記目標指令値算出手段は、前記配分された地域要求電力と経済負荷配分制御によって算出された経済負荷配分スケジュール値とから目標指令値を算出する。  
前記指令値伝送手段は、前記算出した目標指令値を発電機に伝送する。  
ここで、前記地域要求電力配分手段は、地域要求電力の配分残を前記複数種の発電機に配分する順番を定め、この順番に従って配分残が無くなるまで個々の発電機に対する配分残の配分を順次実施し、前記複数種の発電機の全てに対して配分残の配分を実施しても配分残が無くならない場合には、再度、前記順番に従って配分残が無くなるまで個々の発電機に対する配分残の配分を順次実施する。
【発明の効果】
【００２８】
本発明によれば、発電機の調整余力が少ない場合又は偏った運転体制の場合に、地域要求電力の配分残の発生を抑制する事ができる。
【図面の簡単な説明】
【００２９】
【図１】各実施形態に共通した需給制御システムの構成を示す模式図である。
【図２】各実施形態に共通した需給制御の処理内容を説明するためのフローチャートである。
【図３】各実施形態に共通したＡＲ配分部の処理内容を説明するためのフローチャートである。
【図４】各実施形態の概要を説明するためのフローチャートである。
【図５】第１の実施形態に係るＡＲ配分処理を説明するためのフローチャートである。
【図６】同実施形態におけるＡＲ配分処理を説明するためのフローチャートである。
【図７】同実施形態におけるＡＲ配分処理を説明するためのフローチャートである。
【図８】同実施形態におけるＡＲ配分処理を説明するためのフローチャートである。
【図９】同実施形態におけるＡＲ配分処理を示す模式図である。
【図１０】同実施形態におけるＡＲ配分処理の変形例を示すフローチャートである。
【図１１】同実施形態におけるＡＲ配分処理の変形例を示す模式図である。
【図１２】第２の実施形態に係るＡＲ配分処理を説明するためのフローチャートである。
【図１３】第３の実施形態におけるＡＲ配分処理を示す模式図である。
【図１４】第３の実施形態におけるＡＲ配分処理の変形例を示す模式図である。
【図１５】第４の実施形態に係るＡＲ配分処理を説明するためのフローチャートである。
【図１６】第５の実施形態に係るＡＲ配分処理を説明するためのフローチャートである。
【発明を実施するための形態】
【００３０】
以下、各実施形態について図面を用いて説明する。なお、以下に計算機を一例として述べた装置は、ハードウェア構成、又はハードウェア資源とソフトウェアとの組合せ構成のいずれでも実施可能となっている。組合せ構成のソフトウェアとしては、予めネットワーク又はコンピュータ読取り可能な記憶媒体から当該装置のコンピュータにインストールされ、当該装置の機能を実現させるためのプログラムが用いられる。
【００３１】
図１は各実施形態に共通した需給制御システムの構成を示す模式図であり、図２は各実施形態に共通した需給制御の処理内容を説明するためのフローチャートであり、図３は各実施形態に共通したＡＲ配分部の処理内容を説明するためのフローチャートである。  
図１に示すように、電力系統１は、データ検出部１０及びｎ台の発電機Ｇ１，Ｇ２，…，Ｇｎを有し、他系統３に連系線４を介して連系されている。各発電機Ｇ１，Ｇ２，…，Ｇｎは、検出用の信号線１１と制御用の信号線１２を介して、計算機２内のｎ個の発電機出力信号入力部２０１，２０２，…，２０ｎとｎ個の指令値伝送手段２３１，２３２，…，２３ｎとに個別に接続されている。計算機（コンピュータ）２は、マンマシンインタフェースであるＭＭＩ５、ｎ個の発電機出力信号入力部２０１，２０２，…，２０ｎ、ｎ個の指令値伝送手段２３１，２３２，…，２３ｎ、ｎ個の目標指令値算出部２２１，２２２，…，２２ｎ、ＡＲ計算部２４、ＡＲ分解部２５、ＡＲ配分部２６、発電端総需要計算部２７、オンライン予測需要部２８、前日運転計画部２９及びＥＬＤスケジュール計算部３０を備えている。
【００３２】
発電機出力信号入力部２０１，２０２，…，２０ｎは、各発電機Ｇ１，Ｇ２，…，Ｇｎの出力の値を示す発電機出力信号を個別に目標指令値算出部２２１，２２２，…，２２ｎに伝送する。なお、これら発電機出力信号は発電端総需要計算部２７にも伝送される。
【００３３】
発電端総需要計算部２７は、発電機出力信号入力部２０１，２０２，…，２０ｎからの発電機出力信号を取り込んで発電端総需要を計算する。計算された発電端総需要は、オンライン予測需要部２８に入力される。
【００３４】
オンライン予測需要部２８は、入力された発電端総需要に基づいてオンライン予測需要をＥＬＤスケジュール計算部３０に入力する。また、前日運転計画部２９は、予め設定された前日運転計画をＥＬＤスケジュール計算部３０に入力する。  
すなわち、図２に示すように、オンライン予測需要及び前日運転計画からなる運用データがＥＬＤスケジュール計算部３０に入力される（ステップＳ１００）。
【００３５】
一方、データ検出部１０は、電力系統１の周波数変化量（ΔＦ）と連系線潮流変化量（ΔＰＴ）とを検出する。検出された周波数変化量（ΔＦ）と連系線潮流変化量（ΔＰＴ）は、信号線１３を介してＡＲ計算部２４に入力される。
【００３６】
ＡＲ計算部２４は、入力された周波数変化量（ΔＦ）及び連系線潮流変化量（ΔＰＴ）に基づいて（１）式に示したように地域要求電力（ＡＲ）を算出する（ステップＳ２００）。算出されたＡＲは、ＡＲ分解部２５に入力される。
【００３７】
ＡＲ分解部２５は、当該算出されたＡＲを周波数分解し、当該ＡＲの周波数分解結果をＡＲ配分部２６及びＥＬＤスケジュール計算部３０に入力する（ステップＳ３００）。
【００３８】
ＥＬＤスケジュール計算部３０は、入力されたＡＲの周波数分解結果と、ステップＳ１００で入力されたオンライン予測需要及び前日運転計画とに基づき、経済負荷配分制御によってＥＬＤスケジュール値（以下、ＥＬＤ値という）を計算し、このＥＬＤ値を目標指令値算出部２２１，２２２，…，２２ｎに入力する（ステップＳ４００）。
【００３９】
一方、ＡＲ配分部２６は、ステップ３００で入力された周波数分解結果に基づき、周波数分解した地域要求電力（ＡＲ）を発電機毎に配分するように、当該地域要求電力（ＡＲ）の変動周期成分の周期に応じて、各発電機Ｇ１，Ｇ２，…，Ｇｎに対する地域要求電力（ＡＲ）の配分量を算出する（ステップＳ５００）。
【００４０】
このステップＳ５００では、詳しくは図３に示すように、ＡＲ配分部２６が、入力された周波数分解結果から短周期成分（例、数１０秒〜１又は２分周期）を抽出し（ステップＥ１：Ｙｅｓ）、当該抽出した短周期成分を各発電機Ｇ１，Ｇ２，…，Ｇｎのうちの高速機（例、水力機）に分担させるように、高速機の配分量を算出している（ステップＥ２）。
【００４１】
また、ステップＳ５００では、ＡＲ配分部２６が、入力された周波数分解結果から中周期成分（例、１又は２分超〜数分周期）を抽出し（ステップＥ３：Ｙｅｓ）、当該抽出した中周期成分を各発電機Ｇ１，Ｇ２，…，Ｇｎのうちの低速機（例、火力機）に分担させるように、低速機の配分量を算出している（ステップＥ４）。
【００４２】
さらに、ステップＳ５００では、ＡＲ配分部２６が、入力された周波数分解結果から長周期成分（例、数分超周期）を抽出し（ステップＥ３：Ｎｏ）、当該抽出した長周期成分をＥＬＤ値に上乗せして各発電機Ｇ１，Ｇ２，…，ＧｎのうちのＥＬＤ対象発電機（ＥＬＤ機）に分担させるように、ＥＬＤ機配分量を算出している（ステップＥ５）。当該算出された配分量は、目標指令値算出部２２１，２２２，…，２２ｎに入力される。
【００４３】
目標指令値算出部２２１，２２２，…，２２ｎは、各発電機Ｇ１，Ｇ２，…，Ｇｎの発電機出力信号と、ＡＲ配分部２６から入力されたＡＲ値と、ＥＬＤスケジュール計算部３０から入力されたＥＬＤ値とに基づいて目標指令値を個別に算出し（ステップＳ６００）、これら目標指令値を個別に指令値伝送手段２３１，２３２，…，２３ｎを介して（ステップＳ７００）、各発電機Ｇ１，Ｇ２，…，Ｇｎに伝送する（ステップＳ８００）。
【００４４】
以上が各実施形態に共通した需給制御の概要である。以下、各実施形態の概要を順次述べる。各実施形態は、図４に示す如き、ＡＲ配分部２６によるステップＳ５００のＡＲ配分処理において、発電機の優先モードの選択ステップＡ、周波数帯域の調整モードの選択ステップＢ、周波数帯域自動調整モードの実行ステップＣ、周波数帯域手動調整モードの実行ステップＤ、配分量の算出ステップＥ、高速機優先モードの実行ステップＨ、ＥＬＤ機優先モードの実行ステップＬからなる各ステップのうち、２つ以上のステップを実施する形態である。なお、ステップＥは、全ての実施形態で実施される。
【００４５】
第１の実施形態は、配分量の算出ステップＥ、及び高速機優先モードの実行ステップＨを実施する形態である。但し、変形例として、配分量の算出ステップＥ、ＥＬＤ機優先モードの実行ステップＬを実施してもよい。
【００４６】
第２の実施形態は、周波数帯域自動調整モードの実行ステップＣ、及び配分量の算出ステップＥを実施する形態である。但し、変形例として、第１の実施形態で述べた実行ステップＨ又はＬを更に実施してもよい。
【００４７】
第３の実施形態は、発電機の優先モードの選択ステップＡ及び配分量の算出ステップＥと、ステップＡで選択された実行ステップＨ又はＬを実施する形態である。但し、変形例として、第２の実施形態で述べた実行ステップＣを更に実施してもよい。
【００４８】
第４の実施形態は、周波数帯域の調整モードの選択ステップＢ、ステップＢで選択された実行ステップＣ又はＤ、及び配分量の算出ステップＥを実施する形態である。但し、変形例として、第１の実施形態で述べた実行ステップＨ又はＬを更に実施してもよく、これに加え、第３の実施形態で述べた選択ステップＡを更に実施してもよい。
【００４９】
以上が各実施形態の概要である。以下、各実施形態を具体的に順次説明する。  
＜第１の実施形態：調整余力に応じたＡＲ配分手法＞
図５乃至図８は第１の実施形態に係るＡＲ配分部２６によるＡＲ配分処理を説明するためのフローチャートである。  
負荷周波数制御（ＬＦＣ）を行う場合、周波数分解した地域要求電力（ＡＲ）を高速機や低速機の発電機に配分する。また、経済負荷配分制御（ＥＬＤ）を行う場合、周波数分解した地域要求電力（ＡＲ）をＥＬＤ値に加算（ＥＬＤ機の発電機に配分）してＥＬＤ機配分量とする。しかしながら、並列するＬＦＣ対象発電機やＥＬＤ対象発電機の調整余力（最大出力と現在出力の差、または最小出力と現在出力の差）が配分すべき地域要求電力（ＡＲ）よりも小さい場合、地域要求電力（ＡＲ）が配分しきれず、配分残となる。
【００５０】
そこで、本実施形態では、例えば高速機が分担すべきＡＲ配分量に対して、高速機の調整余力が小さい場合、図９に示すように、調整しきれない配分量（高速機配分残）を低速機のＡＲ配分量に加算する構成となっている。  
また同様に、本実施形態では低速機が分担すべきＡＲ配分量に対して、低速機の調整余力が小さい場合は、図９に示すように、調整しきれない配分量（低速機配分残）をＥＬＤ機配分量に加算する構成としている。  
また同様に、本実施形態ではＥＬＤ速機が分担すべきＡＲ配分量に対して、ＥＬＤ機の調整余力が小さい場合は、図９に示すように、調整しきれない配分量（ＥＬＤ機配分残）を高速機のＡＲ配分量に加算する構成としている。
【００５１】
具体的には、ＡＲ配分部２６は、ＡＲ分解部２５により周波数分解した地域要求電力の短周期成分、中周期成分及び長周期成分を抽出し、短周期成分を発電機Ｇ１〜Ｇｎのうちの高速機に配分し、中周期成分を発電機Ｇ１〜Ｇｎのうちの低速機に配分し、長周期成分を発電機Ｇ１〜ＧｎのうちのＥＬＤ機に配分（ＥＬＤ値に上乗せ）する。
【００５２】
ＡＲ配分部２６は、高速機優先配分機能をもっている。この高速機優先配分機能では、ＡＲ配分部２６は、短周期成分を配分しきれなかった場合には当該配分しきれなかった短周期成分（高速機の配分残）を低速機に配分する。また、この高速機優先配分機能では、ＡＲ配分部２６は、中周期成分を配分しきれなかった場合には当該配分しきれなかった中周期成分（低速機の配分残）をＥＬＤ機に配分する。また、この高速機優先配分機能では、ＡＲ配分部２６は、長周期成分を配分しきれなかった場合には当該配分しきれなかった長周期成分（ＥＬＤ機の配分残）を高速機に配分する。
【００５３】
なお、高速機、低速機、ＥＬＤ機の配分残、ならびに上げ、下げの調整余力は、以下の（２）〜（３１）式に示すように、ＡＲ配分部２６において算出可能となっている。
【００５４】
【数１】
2015192478.tif 000003
【００５５】
ここで、
ｎ：ＬＦＣ対象高速機台数
高速機上げ余力＝
＋1.0×min（最大出力−現在出力，LFC周期[s]×変化速度[MW/s]  …(10)
高速機下げ余力＝
−1.0×min（現在出力−最少出力，LFC周期[s]×変化速度[MW/s]  …(11)
【００５６】
【数２】
2015192478.tif 000004
【００５７】
ここで、
ｎ：ＬＦＣ対象低速機台数
低速機上げ余力＝
＋1.0×min（最大出力−現在出力，LFC周期[s]×変化速度[MW/s]  …(20)
低速機下げ余力＝
−1.0×min（現在出力−最少出力，LFC周期[s]×変化速度[MW/s]  …(21)
【００５８】
【数３】
2015192478.tif 000005
【００５９】
ここで、
ｎ：ＥＬＤ対象台数
ＥＬＤ機上げ余力＝
＋1.0×min（最大出力−現在出力，ELD周期[s]×変化速度[MW/s]  …(30)
ＥＬＤ機下げ余力＝
−1.0×min（現在出力−最少出力，ELD周期[s]×変化速度[MW/s]  …(31)
次に、以上のように構成されたＡＲ配分部２６の動作について図５乃至図９を参照しながら説明する。  
ＡＲ配分部２６は、図３に示したように、配分量の算出ステップＥを実行する。すなわち、ＡＲ配分部２６は、ＡＲ分解部２５により周波数分解した地域要求電力の短周期成分、中周期成分及び長周期成分を抽出し、短周期成分を発電機Ｇ１〜Ｇｎのうちの高速機に配分し、中周期成分を発電機Ｇ１〜Ｇｎのうちの低速機に配分し、長周期成分を発電機Ｇ１〜ＧｎのうちのＥＬＤ機に配分する。
【００６０】
続いて、ＡＲ配分部２６は、図５に示したように、高速機優先モードの実行ステップＨを実行する。すなわち、ＡＲ配分部２６は、（２）〜（１１）式及び図６に示すように、高速機の配分残を算出する（ステップＨ１、Ｈ１−１〜Ｈ１−１１）。  
ステップＨ１の後、ＡＲ配分部２６は、高速機配分残の有無を判定し（ステップＨ２）、高速機配分残が無ければ（高速機配分残＝０のとき）、処理を終了する。
【００６１】
ステップＨ２の判定の結果、高速機配分残があれば、ＡＲ配分部２６は、高速機配分残を低速機配分量に加算する（ステップＨ３）。
【００６２】
ステップＨ３の後、ＡＲ配分部２６は、（１２）〜（２１）式及び図７に示すように、低速機の配分残を算出する（ステップＨ４、Ｈ４−１〜Ｈ４−１１）。  
ステップＨ４の後、ＡＲ配分部２６は、低速機配分残の有無を判定し（ステップＨ５）、低速機配分残が無ければ（低速機配分残＝０のとき）、処理を終了する。  
ステップＨ５の判定の結果、低速機配分残があれば、ＡＲ配分部２６は、低速機配分残をＥＬＤ機配分量に加算する（ステップＨ６）。
【００６３】
ステップＨ６の後、ＡＲ配分部２６は、（２２）〜（３１）式及び図８に示すように、ＥＬＤ機の配分残を算出する（ステップＨ７、Ｈ７−１〜Ｈ７−１１）。  
ステップＨ７の後、ＡＲ配分部２６は、ＥＬＤ機配分残の有無を判定し（ステップＨ８）、ＥＬＤ機配分残が無ければ（ＥＬＤ機配分残＝０のとき）、処理を終了する。  
ステップＨ８の判定の結果、ＥＬＤ機配分残があれば、ＡＲ配分部２６は、ＥＬＤ機配分残を高速機配分量に加算する（ステップＨ９）。
【００６４】
上述したように本実施形態によれば、周波数分解した地域要求電力の短周期成分、中周期成分及び長周期成分を抽出し、短周期成分を高速機に配分し、中周期成分を低速機に配分し、長周期成分をＥＬＤ機に配分し、短周期成分を配分しきれなかった場合には当該配分しきれなかった短周期成分を低速機に配分する。また、中周期成分を配分しきれなかった場合には当該配分しきれなかった中周期成分をＥＬＤ機に配分する。また、長周期成分を配分しきれなかった場合には当該配分しきれなかった長周期成分を高速機に配分する。これらの構成により、高速機、低速機、ならびにＥＬＤ機の調整余力に応じて地域要求電力（AR）を配分することができる。従って、発電機の調整余力が少ない場合に、地域要求電力の配分残の発生を抑制でき、配分残を少なくして、制御性能を高めることが可能となる。
【００６５】
なお、本実施形態では、高速機が分担すべきＡＲ配分量に対して、高速機の調整余力が小さい場合に、調整しきれない配分量を低速機のＡＲ配分量に加算する方法を示したが、配分量の加算順序はこの方法に限定されない。例えば、配分量の加算順序は、図１０及び図１１に示すように、ＥＬＤ機にて調整しきれない配分量を低速機のＡＲ配分量に加算する方法としてもよい。
【００６６】
この場合、ＡＲ配分部２６は、ＥＬＤ機優先配分機能を有するようにすればよい。このＥＬＤ機優先配分機能では、ＡＲ分解部２５により周波数分解した地域要求電力の短周期成分、中周期成分及び長周期成分を抽出し、短周期成分を発電機Ｇ１〜Ｇｎのうちの高速機に配分する。ＥＬＤ機優先配分機能では、ＡＲ分解部２５は、中周期成分を発電機Ｇ１〜Ｇｎのうちの低速機に配分し、長周期成分を発電機Ｇ１〜ＧｎのうちのＥＬＤ機に配分する。
【００６７】
ＥＬＤ機優先配分機能では、ＡＲ分解部２５は、長周期成分を配分しきれなかった場合には当該配分しきれなかった長周期成分（ＥＬＤ機の配分残）を低速機に配分し、中周期成分を配分しきれなかった場合には当該配分しきれなかった中周期成分（低速機の配分残）を高速機に配分し、短周期成分を配分しきれなかった場合には当該配分しきれなかった短周期成分（高速機の配分残）をＥＬＤ機に配分する。
【００６８】
なお、図１０中、ＥＬＤ機の配分残の算出ステップＬ１は、前述した算出ステップＨ７と同様に実行すればよい。また、低速機の配分残の算出ステップＬ４は、前述した算出ステップＨ４と同様に実行すればよい。また、高速機の配分残の算出ステップＬ７は、前述した算出ステップＨ１と同様に実行すればよい。
【００６９】
また、高速機、低速機及びＥＬＤ機は、火力発電機、水力発電機などの発電機に限定されるものではなく、電力の充放電が可能な二次電池（蓄電池、充電式電池等）の電力貯蔵装置などにも適用可能である。
【００７０】
＜第２の実施形態：運転体制に応じたＡＲ配分手法＞
図１２は第２の実施形態に係るＡＲ配分部２６のＡＲ配分処理を説明するためのフローチャートである。  
負荷周波数制御（ＬＦＣ）や経済負荷配分制御（ＥＬＤ）を行う場合、第１の実施形態と同様、周波数分解したＡＲを高速機や低速機やＥＬＤ機の発電機に配分することになるが、ＬＦＣ対象発電機やＥＬＤ対象発電機の並列台数は常に固定（決められた発電機が対象）となる訳ではなく、季節や時間帯、または需要変動に応じて中央給電指令所の運転員が発電機の選定、ならびに台数を調整している。そのため、低速機、高速機、ＥＬＤ機の発電機の台数が偏った場合などは、調整余力に差が生じ、配分残が生じる可能性がある。
【００７１】
例えば、ＬＦＣ対象発電機の並列台数が、高速機は多数台＋低速機は少数台になるように、運転体制が偏ってしまうような場合、低速機側は調整台数も調整余力も小さくなることで、地域要求電力（ＡＲ）を十分に配分しきれず、配分残が生じる可能性がある。逆に、高速機は少数台＋低速機は多数台の場合も同様であり、高速機側にて配分残が生じる可能性がある。
【００７２】
また、ＥＬＤ機の台数がごく僅かな場合においては、ＥＬＤ機側は調整台数も調整余力も小さくなることで、地域要求電力（ＡＲ）を十分に配分しきれず、配分残が生じる可能性がある。そこで、本実施形態では、高速機、低速機、ならびにＥＬＤ機の運転体制に応じて、分担すべき地域要求電力（ＡＲ）の周波数帯域を変更する。
【００７３】
基本的には、高速機に配分残が生じれば、高速機が分担すべき周波数帯域の時間幅を狭める（低速機が分担すべき周波数帯域の時間幅を広げる）ようにする。即ち、配分残がある高速機については周波数帯域の時間帯を小さくし、調整余力のある低速機に比較的に長い周波数帯域を持たせることで、ゆっくりとした変動周期を分担することにする。これにより、調整余力が小さい場合でも配分残が発生しにくくする。
【００７４】
逆も同様であり、低速機に配分残が生じれば、低速機が分担すべき周波数帯域の時間幅を狭める（高速機が分担すべき周波数帯域の時間幅を広げる）ようにする。即ち、配分残がある低速機は周波数帯域の時間帯を小さくし、調整余力のある高速機に比較的に長い周波数帯域を持たせることで、ゆっくりとした変動周期を分担することにする。これにより、調整余力が小さい場合でも配分残が発生しにくくする。  
また、同様に、ＥＬＤ機に配分残が生じれば、ＥＬＤ機が分担すべき周波数帯域の時間幅を狭める（低速機が分担すべき周波数帯域の時間幅を広げる）ようにする。
【００７５】
具体的には、ＡＲ配分部２６は、以下の機能(f2-1)〜(f2-4)をもっている。なお、このうち３つの機能(f2-1)〜(f2-3)は、時間幅調整機能を構成している。  
(f2-1)  発電機Ｇ１〜Ｇｎのうちの高速機の配分残と発電機Ｇ１〜Ｇｎのうちの低速機の配分残と発電機Ｇ１〜ＧｎのうちのＥＬＤ機の配分残を算出する機能。  
(f2-2)  高速機の配分残がある場合には、当該高速機が分担する周波数帯域の時間幅を小さくする一方、当該低速機が分担する周波数帯域の時間幅を大きくする機能。  
(f2-3)  低速機の配分残がある場合には、当該低速機が分担する周波数帯域の時間幅を小さくする一方、当該高速機が分担する周波数帯域の時間幅を大きくする機能。  
(f2-4)  ＥＬＤ機の配分残がある場合には、当該ＥＬＤ機が分担する周波数帯域の時間幅を小さくする一方、当該低速機が分担する周波数帯域の時間幅を大きくする機能。  
(f2-5)  ＡＲ分解部２５により周波数分解した地域要求電力の短周期成分、中周期成分及び長周期成分を時間幅に応じて抽出し、短周期成分を高速機に配分し、中周期成分を低速機に配分し、長周期成分をＥＬＤ機に配分する機能。
【００７６】
尚、周波数帯域の時間幅の調整条件は（３２）〜（３７）式に示す通りである。  
if      高速機配分残≧０
高速機の周波数帯域＝基本周期−規定時間  …(32)
低速機の周波数帯域＝基本周期＋規定時間  …(33)
elseif    低速機配分残≧０
高速機の周波数帯域＝基本周期＋規定時間  …(34)
低速機の周波数帯域＝基本周期−規定時間  …(35)
elseif    ＥＬＤ機配分残≧０
低速機の周波数帯域＝基本周期＋規定時間  …(36)
ＥＬＤ機の周波数帯域＝基本周期−規定時間  …(37)
endif
ここで、
規定時間：広げる（または狭める）周波数帯域の時間
高速機の基本周波数帯域幅＝３０秒〜１分未満
低速機の基本周波数帯域幅＝１分〜５分未満
ＥＬＤ機の基本周波数帯域幅＝５分以上
次に、以上のように構成されたＡＲ配分部２６の動作について図１２を参照しながら説明する。  
始めに、ＡＲ配分部２６は、周波数帯域自動調整モードの実行ステップＣを実行する。本実施形態では、例えば図１２に示すように、高速機、低速機、ならびにＥＬＤ機のＬＦＣ対象発電機台数を判断基準とする。この場合、ＡＲ配分部２６は、高速機の配分残を算出し（ステップＣ２１）、高速機の配分残があるか否かを判定する（ステップＣ２２）。  
高速機の配分残があるとき、ＡＲ配分部２６は、高速機に配分される短周期成分ａの周波数帯域、および低速機に配分される中周期成分ｂの周波数帯域時間幅を調整する（ステップＣ２３）。
【００７７】
また、ステップＣ２２の判定の結果、否の場合には、ＡＲ配分部２６は、低速機の配分残を算出し（ステップＣ２４）、低速機の配分残があるか否かを判定する（ステップＣ２５）。低速機の配分残があるとき、ＡＲ配分部２６は、各成分ａ，ｂの周波数帯域の時間幅を調整する（ステップＣ２６）。
【００７８】
また、ステップＣ２６の判定の結果、否の場合には、ＡＲ配分部２６は、ＥＬＤ機の配分残を算出し（ステップＣ２７）、ＥＬＤ機の配分残があるか否かを判定する（ステップＣ２８）。ＥＬＤ機の配分残があるとき、ＡＲ配分部２６は、低速機に配分される中周期成分ｂ、およびＥＬＤ機に配分される長周期成分ｃの時間幅を調整する（ステップＣ２９）。
【００７９】
以上により、周波数帯域自動調整モードの実行ステップＣが完了する。  
続いてＡＲ配分部２６は、図３に示したように、配分量の算出ステップＥを実行する。すなわち、ＡＲ配分部２６は、ＡＲ分解部２５により周波数分解した地域要求電力の短周期成分、中周期成分及び長周期成分をステップＣで調整した時間幅に応じて抽出し、短周期成分を高速機に配分し、中周期成分を低速機に配分し、長周期成分をＥＬＤ機に配分する。
【００８０】
上述したように本実施形態によれば、高速機の配分残がある場合には、当該高速機が分担する周波数帯域の時間幅を小さくする一方、当該低速機が分担する周波数帯域の時間幅を大きくする。また、低速機の配分残がある場合には、当該低速機が分担する周波数帯域の時間幅を小さくする一方、当該高速機が分担する周波数帯域の時間幅を大きくする。  
また、ＥＬＤ機の配分残がある場合には、当該ＥＬＤ機が分担する周波数帯域の時間幅を小さくする一方、当該低速機が分担する周波数帯域の時間幅を大きくする。そして、周波数分解した地域要求電力の短周期成分、中周期成分及び長周期成分を当該時間幅に応じて抽出し、短周期成分を高速機に配分し、中周期成分を低速機に配分し、長周期成分をＥＬＤ機に配分する。  
これらの構成により、発電機の運転体制に応じて分担すべき地域要求電力（ＡＲ）を配分することができる。従って、偏った運転体制の場合に、地域要求電力の配分残の発生を抑制でき、制御残を少なくして、制御性能を高めることが可能となる。
【００８１】
また、本実施形態は、第１の実施形態のステップＨ又はＬと組み合わせてもよい。この場合、ＡＲ配分部２６は、第１の実施形態の配分量の算出ステップＥよりも先行して、周波数自動調整モードの実行ステップＣを実行すればよい。
【００８２】
また、本実施形態は、第１の実施形態と同様、高速機、低速機、ＥＬＤ機は火力発電機、水力発電機などの発電機に限定されるものではなく、電力の充放電が可能な二次電池（蓄電池、充電式電池等）の電力貯蔵装置などにも適用可能である。
【００８３】
＜第３の実施形態＞
図１３は、第３の実施形態におけるＡＲ配分処理を示す模式図である。  
図１４は、第３の実施形態におけるＡＲ配分処理の変形例を示す模式図である。  
第１の実施形態では高速機の配分残を低速機の配分量に加算し、低速機の配分残をＥＬＤ機の配分量に加算する方法、または逆に、ＥＬＤ機の配分残を低速機の配分量に加算し、低速機の配分残を高速機の配分量に加算する方法を示した。また、第２の実施形態では、配分残が生じた場合に高速機、低速機、ＥＬＤ機が分担する周波数帯域の時間幅を切り替えることで配分残を少なくする方法を示した。これらの実施形態に基づき、時々刻々変化する需給制御方式を行う上で、配分残が生じた場合には周波数帯域の時間幅を自動的に切り替えるような方法を考える。
【００８４】
基本的な考え方としては、図１３に示した高速機優先モードにおいて、各周波数帯域のＡＲ配分量に配分残が生じれば、図１２に示した発電機体制に応じたＡＲの周波数帯域の調整により、各周波数帯域の時間帯を調整する。図１４に示したＥＬＤ機優先モードにおいても同様である。  
本実施形態によれば、ＡＲ配分残が生じた場合に、各周波数帯域の時間帯を調整することで配分残が少なくなるので、制御性能を高めることができる。
【００８５】
＜第４の実施形態：配分残の優先割り付け手法＞
図１５は、第４の実施形態に係るＡＲ配分部２６のＡＲ配分処理を説明するためのフローチャートである。  
第１の実施形態では、高速機の配分残を低速機の配分量に加算する、低速機の配分残をＥＬＤ機のスケジュール値に加算する、または逆にＥＬＤ機の配分残を低速機の配分量に加算し、低速機の配分残を高速機の配分量に加算する方法を示し、この加算順序も限定されるものではないことも示した。  
これらを踏まえ、本実施形態では、ＥＬＤ機と高速機のどちらに優先的に配分残を配分量に加算させるかを任意に選択できる機能をＡＲ配分部２６に備えた形態としている。なお、実際の運用においては、中央給電指令所における運用者が任意に選択できるように切り替えモードを有するようにすればよい。
【００８６】
具体的には、ＡＲ配分部２６は、第１の実施形態の機能に加え、以下の各機能(f3-1)〜(f3-3)を備えている。  
(f3-1)  予め高速機優先モード又はＥＬＤ機優先モードのいずれかを選択するモード選択機能  
(f3-2)  高速機優先モードの選択により高速機優先配分機能（ステップＨ）を動作させる機能  
(f3-3)  ＥＬＤ機優先モードの選択によりＥＬＤ機優先配分機能（ステップＬ）を動作させる機能  
次に、以上のように構成されたＡＲ配分部２６の動作について図１５を参照しながら説明する。  
始めに、ＡＲ配分部２６は、発電機の優先モードの実行ステップＡを実行する。すなわち、ＡＲ配分部２６は、例えば高速機に優先的に配分残を割り付けるか否かの問い合わせを表示部（図示せず）に画面表示させ（ステップＡ１）、操作者の操作に応じて、高速機に優先的に配分残を割り付ける場合には高速機優先モードを選択し（ステップＡ２）、否の場合にはＥＬＤ機優先モードを選択する（ステップＡ３）。
【００８７】
続いて、ＡＲ配分部２６は、ステップＡ２で高速機優先モードが選択された場合には、共通のステップＥの後、図５乃至図９に示したステップＨの処理を実行する。  
また、ＡＲ配分部２６は、ステップＡ３でＥＬＤ機優先モードが選択された場合には、共通のステップＥの後、図１０及び図１１に示したステップＬの処理を実行する。
【００８８】
上述したように本実施形態によれば、予め高速機優先モード又はＥＬＤ機優先モードのいずれかを選択し、周波数分解した地域要求電力の短周期成分を高速機に配分し、中周期成分を低速機に配分し、長周期成分をＥＬＤ機に配分した後、選択した高速機優先モード又はＥＬＤ機優先モードに応じて、配分しきれなかった周期成分を別種の発電機に配分する構成により、第１の実施形態の効果に加え、高速機、ならびにＥＬＤ機のどちらに優先的に配分残を割り付けるかを任意に選択することができる。従って、運転状況に沿った運用が可能となる。
【００８９】
また、本実施形態は、第２の実施形態と組み合わせてもよい。この場合、ＡＲ配分部２６は、共通の配分量の算出ステップＥよりも先行して、周波数自動調整モードの実行ステップＣを実行すればよい。
【００９０】
＜第５の実施形態：周波数帯域の選択手法＞
図１６は、第５の実施形態に係るＡＲ配分部２６のＡＲ配分処理を説明するためのフローチャートである。  
第２の実施形態では、並列する発電機の運転体制によって周波数帯域の時間幅を自動的に調整する方法について示した。但し、運転状況によっては運用者の考えによる周波数帯域の時間幅の調整が必要であり、手動による調整機能が必要となる。そこで、本実施形態では、運用者が任意に周波数帯域の時間幅を自動調整するか手動調整するかを選択できる機能をＡＲ配分部２６が備えた形態としている。
【００９１】
具体的には、ＡＲ配分部２６は、第２の実施形態の各機能に加え、以下の各機能(f4-1)〜(f4-3)を備えている。  
(f4-1)  予め自動調整モード又は手動調整モードのいずれかを選択するモード選択機能
(f4-2)  自動調整モードの選択により時間幅調整機能（前述した機能(f2-1)〜(f2-3)）を動作させる機能  
(f4-3)  手動調整モードの選択により動作し、操作者の操作に応じて、高速機が分担する周波数帯域の時間幅と、低速機が分担する周波数帯域の時間幅と、ＥＬＤ機が分担する周波数帯域の時間幅とを調整する手動調整モード実行機能  
次に、以上のように構成されたＡＲ配分部２６の動作について図１６を参照しながら説明する。  
始めに、ＡＲ配分部２６は、周波数帯域の調整モードの実行ステップＢを実行する。すなわち、ＡＲ配分部２６は、例えば周波数帯域を自動設定するか否かの問い合わせを表示部（図示せず）に画面表示させ（ステップＢ１）、操作者の操作に応じて、周波数帯域を自動設定する場合には周波数帯域自動調整モードを選択し（ステップＢ２）、否の場合には周波数帯域手動調整モードを選択する（ステップＢ３）。
【００９２】
続いて、ＡＲ配分部２６は、ステップＢ２で周波数帯域自動調整モードが選択された場合には、図１１又は図１２に示した処理を実行し、しかる後、共通のステップＥを実行する。
【００９３】
また、ＡＲ配分部２６は、ステップＢ３で周波数帯域手動調整モードが選択された場合には、操作者の操作に応じて、高速機が分担する周波数帯域の時間幅と、低速機が分担する周波数帯域の時間幅と、ＥＬＤ機が分担する周波数帯域の時間幅とを調整し、しかる後、共通のステップＥを実行する。
【００９４】
上述したように本実施の形態によれば、予め自動調整モード又は手動調整モードのいずれかを選択し、選択した調整モードに応じて周波数帯域の時間幅を調整し、周波数分解した地域要求電力の短周期成分、中周期成分及び長周期成分を当該時間幅に応じて抽出し、各成分を配分する構成により、第２の実施形態の効果に加え、地域要求電力（ＡＲ）を周波数分解する際の時間幅を任意に決めることができる。従って、運用者の考えに沿った運用が可能となる。
【００９５】
また、本実施形態は、第１の実施形態と組み合わせてもよい。この場合、ＡＲ配分部２６は、共通のステップＥの実行後、第１の実施形態で述べた高速機優先モードの実行ステップＨ又はＥＬＤ機優先モードの実行ステップＬを実行すればよい。
【００９６】
さらに、本実施形態は、第１の実施形態に加え、第４の実施形態と組み合わせてもよい。この場合、ＡＲ配分部２６は、図４に示したように、各ステップＡ，Ｂ，Ｃ（又はＤ），Ｅ，Ｈ（又はＬ）を実行すればよい。
【００９７】
以上説明した少なくとも一つの実施形態によれば、配分しきれない周期成分を調整余力の大きい別種の発電機に配分する構成により、発電機の調整余力が少ない場合又は偏った運転体制の場合に、地域要求電力の配分残の発生を抑制することができる。
【００９８】
なお、上記の各実施形態に記載した手法は、コンピュータに実行させることのできるプログラムとして、磁気ディスク（フロッピー（登録商標）ディスク、ハードディスクなど）、光ディスク（ＣＤ−ＲＯＭ、ＤＶＤなど）、光磁気ディスク（ＭＯ）、半導体メモリなどの記憶媒体に格納して頒布することもできる。  
また、この記憶媒体としては、プログラムを記憶でき、かつコンピュータが読み取り可能な記憶媒体であれば、その記憶形式は何れの形態であっても良い。  
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が上記実施形態を実現するための各処理の一部を実行しても良い。  
さらに、各実施形態における記憶媒体は、コンピュータと独立した媒体に限らず、ＬＡＮやインターネット等により伝送されたプログラムをダウンロードして記憶または一時記憶した記憶媒体も含まれる。  
また、記憶媒体は１つに限らず、複数の媒体から上記の各実施形態における処理が実行される場合も本発明における記憶媒体に含まれ、媒体構成は何れの構成であっても良い。なお、各実施形態におけるコンピュータは、記憶媒体に記憶されたプログラムに基づき、上記の各実施形態における各処理を実行するものであって、パソコン等の１つからなる装置、複数の装置がネットワーク接続されたシステム等の何れの構成であっても良い。  
また、各実施形態におけるコンピュータとは、パソコンに限らず、情報処理機器に含まれる演算処理装置、マイコン等も含み、プログラムによって本発明の機能を実現することが可能な機器、装置を総称している。  
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９９】
１…電力系統、２…計算機、３…他系統、４…連系線、５…ＭＭＩ(マンマシンインタフェース)、２０１〜２０ｎ…発電機出力入力部、２１１〜２１ｎ…発電機情報入力部、２２１〜２２ｎ…目標指令値算出部、２３１…２３ｎ…指令値伝送手段、２４…ＡＲ計算部、２５…ＡＲ分解部、２６…ＡＲ配分部、２７…発電端総需要計算部、２８…オンライン予測需要部、２９…前日運転計画部、３０…ＥＬＤスケジュール計算部、３１１〜３１ｎ…出力変化量算出処理の起動タイミング。
【図１】
2015192478.tif 000006
【図２】
2015192478.tif 000007
【図３】
2015192478.tif 000008
【図４】
2015192478.tif 000009
【図５】
2015192478.tif 000010
【図６】
2015192478.tif 000011
【図７】
2015192478.tif 000012
【図８】
2015192478.tif 000013
【図９】
2015192478.tif 000014
【図１０】
2015192478.tif 000015
【図１１】
2015192478.tif 000016
【図１２】
2015192478.tif 000017
【図１３】
2015192478.tif 000018
【図１４】
2015192478.tif 000019
【図１５】
2015192478.tif 000020
【図１６】
2015192478.tif 000021